(57)【特許請求の範囲】
【請求項１】
ケース本体２の筒部２ａ内に、前端に大径の回転操作部３ｂを形成した操作部材３の筒部３ａを、抜け止め状態で回転方向に摺接可能に収容し、該操作部材３の筒部３ａ内にねじ部３ｄを設け、該ねじ部３ｄに保持部材５の外周面のねじ部５ｂを螺入し、該保持部材５の内部にヨーク７と磁石６を固定し、
該保持部材５の後端面から後方に向けて突出形成した角棒形状の回転規制部５ｄを、前記ケース本体２の後端面に、該角棒形状の回転規制部５ｄの外周に略沿う大きさの角孔として形成した開孔２ｄ内に挿通し、該操作部材３のケース本体２における回転操作により、該保持部材５と内部のヨーク７と磁石６が前後進退調整されるが、操作部材３と保持部材５との連れ回りは規制することを特徴とするマグネットキャッチ。
【請求項２】
請求項１記載のマグネットキャッチにおいて、ケース本体２の筒部２ａに操作部材３の筒部３ａを挿入し、更に筒部３ａを挿入すると、係止される突条３ｅを筒部３ａの後端部に設け、該突条３ｅと係合する段部２ｃを、ケース本体２の筒部２ａの後端周壁面に構成したことを特徴とするマグネットキャッチ。
【発明の詳細な説明】
【０００１】
【発明の属する技術分野】
本願発明はキッチンキャビネット，家具，収納家具，収納ケース等における回動開きの扉の閉止を磁石の吸着力で行うべく扉の閉止位置となる収納部側に備え付けられるマグネットキャッチに関し、詳しくはこのキャッチ面の進退調整が正確かつ簡単に行え、しかも良好なキャッチ面が得られるマグネットキャッチに関する。
【０００２】
【従来の技術】
マグネットキャッチは、キッチンキャビネット，家具，収納家具，収納ケース等における回動開きの扉の閉止を磁石の吸着力で行うべく扉の閉止位置となる収納部側に備え付けられるもので、扉が不用意に開かないようにするためのものである。
元来、扉の取り付け状態が良好で、長年の使用により扉の反りなどの変形がなく、マグネットキャッチの取付位置が適正であれば問題ないが、例えば、長年の使用により扉に反りが生じることが少なくなく、また、マグネットキャッチを前後方向に寸分の狂いなく取り付けることは容易ではない。
【０００３】
このため、現在では、マグネットキャッチを収納部に取り付けた後でも、そのキャッチ面の前後高さ（進退）が自在に調節できるマグネットキャッチが市販されるに至っている。
【０００４】
図１０の各図及び図１１はその一例であるマグネットキャッチを示している。
同図に示すように、このマグネットキャッチは、扉の閉止位置となる収納用箱体部分に取り付けるための座２０ｆ及び前面部の開口部から後方に向けた有底の筒部２０ａが一体形成されてなるケース本体２０内に、該ケース本体２０の内周面に刻設されているねじ部２０ｂに螺合するねじ部３０ｂが外周面に形成された有底の筒状体からなる保持部材３０内に磁石５を挟んだ鉄製ヨーク７，７が収容固定され且つ該ヨーク７，７の一端が該保持部材３０の前端部に形成された大径の回転操作部３０ａの前端面より僅かながら手前方向に突出して位置してなるように一体化されてなる進退部材４０が、螺装されて一体的に組み付けられたものである。
【０００５】
そして該ヨーク７，７からなるキャッチ面の前後位置（進退）の調節は、回転操作部３０ａを指で摘んで進退部材４０を回転させることにより行われる。
【０００６】
【発明が解決しようとする課題】
しかしながら、このように進退部材４０を回転させてキャッチ面の位置を進退させる構造であると、前記ケース本体２０に対して進退部材４０のガタツキが生じ易く、キャッチ面の向きに狂いが生じたり、ブレが生じたりし易くなる。
このため、進退部材４を前記ケース本体２０に硬めに螺装させて、極力このような自体が生じないように工夫が施されているのであるが、このように進退部材４０を前記ケース本体２０に対して硬めに螺装してあると、前記回転操作部３０ａの回転操作に強い力が必要になり、操作し難くなるという不具合がある。
特に気候や室温などの変化によって進退部材４０やケース本体２０が微妙に膨張したり縮小したりすると尚更である。この不具合はマグネットキャッチの製造時において、前記ケース本体２０に進退部材４０を組み付ける作業を人手に頼る現在、この組み付け作業を一日中行う作業者にとっては指先を痛めたりする原因にもなる。
【０００７】
さらに言えば、このように進退部材４０を前記ケース本体２０に対して硬めに螺装してあっても、進退部材４０はケース本体２０に対して数条のねじ部どうしの噛み合わせで支持されているだけであるために、特に進退部材４０を前方に突出させた状態においてはねじ溝の噛み合わせ条数も減り、進退部材４０にガタツキが生じ易く、キャッチ面の向きに微妙な狂いが生じたり、ブレが生じたりし易くなるのである。
【０００８】
また、回転操作部３０ａを一方向に回転操作させて進退部材４０を前方に突出させた場合、回転操作部３０ａも一緒に前方に移動するため、回転操作部３０ａとケース本体３の前端面との間に見苦しい隙間ができる他、回転操作部３０ａの回転と共にヨーク７，７の回転方向の向きが変化するため見苦しくなる。特に観音開きの２扉用となる２連のキャッチ面を有するマグネットキャッチの場合、双方のキャッチ面のヨークの向きが不揃いであると購買心理にも微妙に影響する。
【０００９】
本願発明者はかねてからこのような不具合に対し熟考し続けてきた結果、次のような目的が得られるマグネットキャッチを創作するに至った。
すなわち、キャッチ面を一端に有する進退部材が操作部材内に螺入保持された状態でこの操作部材と共にケース本体内に収容され、操作部材はケース本体に抜け止めされた状態でケース本体の内周面に摺接する状態で空転自在となっており、しかもこの操作部材の回転操作部をケース本体の開口外縁面に位置させ、さらに操作部材の回転操作に対して進退部材が連れ回りしないように進退部材の後端突出部をケース本体に進退自在に係止させてその回転方向への動きを規制したことにより、従来構造のマグネットキャッチと同様に、回動方向に開く扉を閉じた際に、磁石の吸着力で不用意に扉が開かないように止め、また長本の使用による扉の反りや取付状態の狂いなどに対してキャッチ面を前後位置を調節することにより安定した扉の閉止を確保することができる。
しかも重要なことは、操作部材の回転操作部を指先で持って回転させると、進退部材を回転させることなく進退方向に移動させてその一端のキャッチ面の位置を前後方向に変化させることができるために、また、進退部材は操作部材とケース本体後端部で支持されているために、進退部材の進退後のブレやガタが極めて減少し、安定したキャッチ面が得られる。
特に進退部材と操作部材との螺装の固さの程度は、進退部材の後端部がケース本体の後端部に回転を規制する状態で支持されているために、回転操作部を指先で持って楽に回転させる程度であっても、進退部材にガタ付きが生ぜず、気温や室温の変化による素材の膨張・収縮による進退部材や回転操作部の操作性の悪影響も極力少なくすることができる。  更に、進退部材が回転しないでそのままの向きで進退するために、その先端部のヨークの向きも常に一定しているために外観上見栄えも良く、扉面に対して狂いのない安定したヨークの向きが得られ、回転操作部はケース本体の前端面に摺接する状態を維持したまま進退部材を進出させることができるため、回転操作部が前方に移動して、回転操作部とケース本体との間に見苦しい隙間が生じるといったこともない、極めて優れたマグネットキャッチを提供することを目的とする。
【００１０】
【課題を解決するための手段】
以上の目的を達成するために提案される本願発明は、次の如く構成したものである。
請求項１においては、ケース本体２の筒部２ａ内に、前端に大径の回転操作部３ｂを形成した操作部材３の筒部３ａを、抜け止め状態で回転方向に摺接可能に収容し、該操作部材３の筒部３ａ内にねじ部３ｄを設け、該ねじ部３ｄに保持部材５の外周面のねじ部５ｂを螺入し、該保持部材５の内部にヨーク７と磁石６を固定し、該保持部材５の後端面から後方に向けて突出形成した角棒形状の回転規制部５ｄを、前記ケース本体２の後端面に、該角棒形状の回転規制部５ｄの外周に略沿う大きさの角孔として形成した開孔２ｄ内に挿通し、該操作部材３のケース本体２における回転操作により、該保持部材５と内部のヨーク７と磁石６が前後進退調整されるが、操作部材３と保持部材５との連れ回りは規制するものである。
【００１１】
請求項２においては、請求項１記載のマグネットキャッチにおいて、ケース本体２の筒部２ａに操作部材３の筒部３ａを挿入し、更に筒部３ａを挿入すると、係止される突条３ｅを筒部３ａの後端部に設け、該突条３ｅと係合する段部２ｃを、ケース本体２の筒部２ａの後端周壁面に構成したものである。
【００１２】
本願発明のマグネットキャッチの最大の特徴は、回転操作部を適度の力を加えて回転操作するだけで、キャッチ面の前後位置を変更させることができ、しかもその操作において回転操作部は回転するだけで前後移動しない。すなわちこの回転操作部はキャッチ面となるヨーク並びに磁石を保持している進退部材だけを進退させるもので、この回転操作部と一体形成されておりケース本体内に収容されている操作部材内に進退部材が螺入しており、しかもこの進退部材は操作部材と連れ回りしないような回転規制が施されているため、回転操作部の回転操作により進退部材回転しないで進退方向にのみ移動する。
【００１３】
【発明の実施の形態】
本願発明の目的及び構成は以上の通りであり、続いて添付図面に示した実施例に基づいて本願発明の具体的な構成を詳述する。
【００１４】
図１の（ａ）図は、本願発明の第１実施例に係る単体形状を有しキャッチ面を突出させた状態のマグネットキャッチを示した側面図、（ｂ）図は同じくキャッチ面を後退させた状態のマグネットキャッチを示した側面図、（ｃ）図，（ｄ）図は何れも（ａ）図，（ｂ）図の側面断面図であり、図２の（ａ）図は同じくキャッチ面を後退させた状態のマグネットキャッチを示した平面図、（ｂ）図は同じく正面図、（ｃ）図は同じく後面図であり、図３の（ａ）図は同じく分解した状態のマグネットキャッチを示した側面図、（ｂ）図は同じくその断面図であり、図４の（ａ）図は進退部材単体の正面図、（ｂ）図は同じく後面図、（ｃ）図は進退部材後端部分の平面図であり、図５はケース本体の後面図であり図６は本願発明の第１実施例に係る単体形状を有するマグネットキャッチの取付状態を示した平面図断面図、図７は同じく側面断面図、図８は本願発明の第２実施例に係る２連形状を有するマグネットキャッチの取付状態を示した平面図断面図、図９は同じく斜視図である。
【００１５】
本願発明に係るマグネットキャッチは、そのキャッチ面が１つである単体形状を有するものと、キャッチ面が２つである２連形状のものとがあるが何れも本願発明に含まれる。なお、それぞれについて説明すると説明が重複するため、単体形状のものについて説明する。
【００１６】
図１乃至図５の各図に示すように、本願発明に係るマグネットキャッチ１は、図示しない扉の閉止位置となる収納用箱体部分に取り付けるためにある座２ｆ、及び前面部の開口部から後方に向けた有底の筒部２ａが一体形成され、該筒部２ａ内の奥端に、後述する保持部材５の回転規制部５ｄを挿通させる開孔２ｄが形成されてなるケース本体２と、前記筒部２ａの内周壁面２ｂに摺接する大きさの外周面が形成された筒部３ａの一端に大径の回転操作部３ｂが形成された操作部材３により構成されている。
その他端部の周面には突条３ｅが形成され、内周壁面の略中央位置にねじ部３ｄが刻設された操作部材３が構成され、磁石６を挟んだ鉄製ヨーク６，６が有底の円筒形状の保持部材５内に収容されている。
該ヨーク７，7 の一端部を該保持部材５内より若干収容入口の外方向突出させた状態で固定されており、該保持部材５の外周面の略中央箇所には、前記ねじ部３ｄに螺合するねじ部５ｂが刻設されており、該保持部材５の後端に角棒形状の回転規制部５ｄが突出して形成された進退部材４と、が一体的に組み付けられてなる。
【００１７】
その組付手順と共に前記各部材の形状をさらに詳しく説明する。
【００１８】
図３の（ｂ）図に示す進退部材４において、保持部材５内に収容されている磁石６と鉄製の２枚のヨーク７，７は、図４の（ａ）図に示すように、２枚のヨーク７，７間に磁石６を挟んだ状態においてその正面形状が円形を有しており、これらが一体となって該保持部材５内に収容されて、接着剤により固着され、又はビス止めされ、或いは他の固定手段によって、該保持部材５内からヨーク７，７及び磁石６が抜けないような工夫が施されている。
【００１９】
なおこの状態において、磁石６の一端部は該保持部材５の開口端面に沿った位置にあり、２枚のヨーク７，７の各一端部は該保持部材５の開口端面より僅かながら突出した位置にある。
このような状態でヨーク７，７及び磁石６を保持した保持部材５は、図３の各図及び図１の（ｄ）図に示すように、その後端部から前記操作部材３の内周壁面２ｂに沿うように挿入し、さらに進退部材４の外周面に形成されているねじ部５ｂと操作部材３の内周壁面２ｂに形成されているねじ部３ｄとが噛み合って進退部材４を操作部材３内に螺入させ、ヨーク７，７及び磁石６が露見している進退部材４の端面が、操作部材３の端面と略一致した位置で前記螺入作業を止める。
【００２０】
そして、このままの状態で、保持部材５を保持した操作部材３を前記ケース本体２内に挿入して、該保持部材５端の回転規制部５ｄを該ケース本体２の後端面に形成されている開孔２ｄ内に挿通させ、さらに前記挿入を続け、最後に該操作部材３端の突条３ｅが該ケース本体２の後端周壁面に形成されている段部２ｃに嵌まるように圧入して、該操作部材３が該ケース本体２内から抜け止めされ且つ自在に摺接して回転する状態にする。
【００２１】
なお、この状態において、該操作部材３の一端側の回転操作部３ｂは前記ケース本体の開口縁端面に略接面しており、この回転操作部３ｂを一方（右回転方向）に回転させると、この操作部材３は前記ケース本体２内で回転する状態となるが、この回転に伴い、図１の（ｂ）図，（ｃ）図及び図２の（ｃ）図さらには図３の（ｂ）図に示すように、前記回転規制部５ｄが前記ケース本体２の後端面に形成されている開孔２ｄ内に挿通して進退部材４が回転が規制されていることにより、操作部材３内に螺入している進退部材４は、ねじ条に沿って突出方向に進出する。なお、その進出長さは、特に限定されるものではないが、３乃至５ｍｍ程度である。
【００２２】
このようにしてケース本体２に操作部材３及び進退部材４を組み付けて示したものが、図１の（ｂ）図，（ｄ）図、及び図２の各図である。
【００２３】
勿論、このようにくみつけたマグネットキャッチ１は、図６及び図７に示すように収容部Ｎの前面の扉Ｄが閉止する裏面側の天板Ｃに取り付けられ、このマグネットキャッチ１のキャッチ面となるヨーク７，７先端部が磁石６によって力を帯びているため、扉Ｄの裏面に取り付けた鉄製のプレート１０を磁力によって吸着し、これにより閉じた扉Ｄを不用意に開かないように止めることができるのである。図６におけるＦは収納部Ｎの側板、図６及び図７における１１，１２は取付用埋込ねじである。
【００２４】
なお、前記扉Ｄを閉じた際に、その裏面に取り付けた鉄製のプレート１０がマグネットキャッチ１のキャッチ面に磁力により接着すれば問題はないが、例えば、長年の使用により扉Ｄが反って、扉Ｄが閉じても鉄製のプレート１０かキャッチ面に届かなかったり、マグネットキャッチ１の取付位置にミスかあって多少前後方向、特に後方にマグネットキャッチ１を取り付けたりしたような場合には、マグネットキャッチ１のキャッチ面を前後方向（特に前方）に移動調節する必要がある。
【００２５】
このような場合には、図１の（ｂ）図及び（ｄ）図に示す状態から、回転操作部３ｂを一方向（右方向）に回転させて図１の（ａ）図及び（ｃ）図に示すように進退部材４を進出方向に移動させてキャッチ面の位置を最適の前後位置に変えれば良い。なおこの回転操作部３ｂを他方（左方向）に回転させると進退部材４は当然ながら後退する。
【００２６】
このような構造を有する本願発明のマグネットキャッチは、上述したような単体構造のものに限らず、図８及び図９に示すように、２枚の観音開きの扉Ｄ，Ｄをそれぞれ一部材で止める２連式のマグネットキャッチ１Ａも当然ながらその範疇に含まれる。
【００２７】
なお、図２及び図４並びに図５の各図に示すように、前記回転規制部５ｄの先端部の両側に突起５ｅ，５ｅを形成し、この突起５ｅ，５ｅがケース本体２の奥端に形成されている開孔２ｄから抜け出ないようにし、これにより進退部材４の移動を規制したり、進退部材４が抜け落ちないようにしても構わない。
【００２８】
【発明の効果】
以上に示した本願発明のマグネットキャッチによれば次のような効果を奏するのである。
【００２９】
第１に、マグネットキャッチが本来有する効果として、回動方向に開く扉を閉じた際に、磁石の吸着力で不用意に扉が開かないように止め、また本発明の構成により、扉の反りや取付状態の狂いなどに対してキャッチ面を前後位置を調節することにより安定した扉の閉止を確保することができたのである。
【００３０】
第２に、本願発明特有の効果として、操作部材３の回転操作部３ｂを指先で持って回転させると、保持部材５を回転させることなく進退方向に移動させてその一端のキャッチ面を位置を前後方向に変化させることができたのである。
また、保持部材５は操作部材とケース本体後端部で支持されているために、進退部材の進退後のブレやガタを極めて減少させることができ、安定したキャッチ面が得られる。
特に保持部材５と操作部材との螺装の固さの程度は、保持部材５の後端部がケース本体の後端部に回転を規制する状態で支持されているために、回転操作部を指先で持って楽に回転させる程度であっても、保持部材５にガタ付きが生ぜず、気温や室温の変化による素材の膨張・収縮による保持部材５や回転操作部の操作性の悪影響も極力少なくすることができたのである。
さらに、ケース本体２の筒部２ａに操作部材３の筒部３ａを挿入し、更に筒部３ａを挿入すると、係止される突条３ｅを筒部３ａの後端部に設け、該突条３ｅと係合する段部２ｃを、ケース本体２の筒部２ａの後端周壁面に構成したので、操作部材３が回転しても、保持部材５が回転しないでそのままの向きで進退するために、該保持部材５の内部に固定された先端部のヨークの向きも常に一定しているために外観上見栄えも良く、扉面に対して狂いのない安定したヨークの向きが得られ、回転操作部はケース本体の前端面に摺接する状態を維持したまま進退部材を進出させることができる。
故に、回転操作部が前方に移動することによる、回転操作部とケース本体との間に見苦しい隙間が生じるといったこともなくすことができたのである。
【図面の簡単な説明】
【図１】  （ａ）図は本願発明の第１実施例に係る単体形状を有しキャッチ面を突出させた状態のマグネットキャッチを示した側面図、（ｂ）図は同じくキャッチ面を後退させた状態のマグネットキャッチを示した側面図、（ｃ）図，（ｄ）図は何れも（ａ）図，（ｂ）図の側面断面図である。
【図２】  （ａ）図は同じくキャッチ面を後退させた状態のマグネットキャッチを示した平面図、（ｂ）図は同じく正面図、（ｃ）図は同じく後面図である。
【図３】  （ａ）図は同じく分解した状態のマグネットキャッチを示した側面図、（ｂ）図は同じくその断面図である。
【図４】  （ａ）図は進退部材単体の正面図、（ｂ）図は同じく後面図、（ｃ）図は進退部材後端部分の平面図である。
【図５】  ケース本体の後面図である。
【図６】  本願発明の第１実施例に係る単体形状を有するマグネットキャッチの取付状態を示した平面図断面図である。
【図７】  同じく側面断面図である。
【図８】  本願発明の第２実施例に係る２連形状を有するマグネットキャッチの取付状態を示した平面図断面図である。
【図９】  同じく斜視図である。
【図１０】  （ａ）図及び（ｂ）図は何れもは従来技術のマグネットキャッチを示した側面断面図である。
【図１１】  従来技術のマグネットキャッチの正面図である。
【符号の説明】
１  マグネットキャッチ
２  ケース本体
３  操作部材
３ｂ  回転操作部
４  進退部材
５  保持部材
６  磁石
７  ヨーク
【図１】
0003763955.tif 000002
【図２】
0003763955.tif 000003
【図３】
0003763955.tif 000004
【図４】
0003763955.tif 000005
【図５】
0003763955.tif 000006
【図６】
0003763955.tif 000007
【図７】
0003763955.tif 000008
【図８】
0003763955.tif 000009
【図９】
0003763955.tif 000010
【図１０】
0003763955.tif 000011
【図１１】
0003763955.tif 000012